(57)【要約】【課題】外部電源方式及び流電陽極方式の電気防食において、外部電源用電極又は流電陽極に流れる電流を精度良く安定して定電流コントロールすることができ、被防食体に一定の防食電流を安定的に流入させて良好な防食状態を維持し得る電気防食システム及び定電流回路を提供すること。【解決手段】電気防食システム１０は、被防食体９１に電流を流す外部電源用電極２０と、該電極２０に直列に接続する定電流回路３０とを備える。定電流回路３０が、三端子レギュレータ３３と電流調整抵抗３４，３５とを備える、外部電源用電極２０に流れる電流の電流値が一定となるように該電流を制御する。【選択図】図２
2018123394.tif 000002
【特許請求の範囲】
【請求項１】
被防食体に対して外部電源方式又は流電陽極方式によって電気防食を行う電気防食システムであって、
前記被防食体に電流を流す外部電源用電極又は流電陽極と、該外部電源用電極又は該流電陽極に直列に接続する定電流回路とを備え、
前記定電流回路が、三端子レギュレータ又は接合型電界トランジスタと電流調整抵抗とを備えるか、又は定電流ダイオードを備え、前記外部電源用電極又は前記流電陽極に流れる電流の電流値が一定となるように該電流を制御する電気防食システム。
【請求項２】
直流電流を出力する外部電源方式の直流電源装置を備え、前記外部電源方式によって電気防食を行うようになされており、
前記直流電源装置の正極側と前記外部電源用電極とが前記定電流回路を介して直列に接続されていると共に、該直流電源装置の負極側と前記被防食体とが接続されている請求項１に記載の電気防食システム。
【請求項３】
前記定電流回路が、前記三端子レギュレータと前記電流調整抵抗とを備える請求項２に記載の電気防食システム。
【請求項４】
前記被防食体が、コンクリート構造物中の鋼材である請求項１〜３のいずれか１項に記載の電気防食システム。
【請求項５】
前記流電陽極方式によって電気防食を行うようになされており、
前記流電陽極の負極側と前記被防食体とが前記定電流回路を介して直列に接続されており、該定電流回路が、前記接合型電界トランジスタと前記電流調整抵抗とを備えるか、又は前記定電流ダイオードを備える請求項１に記載の電気防食システム。
【請求項６】
被防食体に対して外部電源方式又は流電陽極方式によって電気防食を行う場合に、外部電源用電極又は流電陽極に直列に接続して使用する定電流回路であって、
三端子レギュレータ又は接合型電界トランジスタと電流調整抵抗とを備えるか、又は定電流ダイオードを備え、前記外部電源用電極又は前記流電陽極に流れる電流の電流値が一定となるように該電流を制御する定電流回路。
【発明の詳細な説明】
【技術分野】
【０００１】
本発明は、外部電源方式又は流電陽極方式による電気防食システム及びそれに用いる定電流回路に関する。
【背景技術】
【０００２】
コンクリート、土壌、海水、河川水その他の腐食環境に接する金属体などの被防食体の防食方法として電気防食法が知られている。電気防食法は、被防食体に対して防食電流を供給することにより、電位を卑方向に変化させて被防食体を再不動態化、又は不活性な電位域に変化させる防食方法である。電気防食の方式としては従来、外部電源方式と流電陽極方式と知られている。
【０００３】
外部電源方式は、直流電源装置及び陽極としての外部電源用電極を設置し、被防食体を陰極として電気回路を構成し、該直流電源装置より該外部電源用電極から該被防食体に直流電流（防食電流）を流入させる方式である。外部電源方式では、通常、直流電源装置の出力電圧を外部電源用電極と被防食体との間に一定に印加しているので、腐食環境の抵抗の抵抗値が経時的に変化した場合に防食電流の電流値が変動し、そのため、防食効果が安定的に得られない、複数の外部電源用電極を用いて広範囲の防食を行う場合にその防食が均一に行われないといった課題がある。斯かる課題への対処技術として、外部電源方式の電気防食システムに、防食電流の電流値を一定にし得る定電流回路を組み込む技術が知られている（特許文献１〜３）。
【０００４】
特許文献１には、電気防食用に配設された複数の陽極と、各陽極に接続された複数の定電流回路と、各定電流回路に接続された直流電源装置と、１つの電流設定用可変抵抗器及び／又は１つの定電位制御回路とを備え、該電流設定用可変抵抗器又は該定電位制御回路の出力によって複数の定電流回路を同時に制御するように構成した電気防食用直流電源装置において、定電流回路として、オペアンプとトランジスタとを組み合わせた構成のものが記載されている。特許文献１記載の電気防食用直流電源装置によれば、配線長の長短や接水抵抗あるいは接地抵抗の大小によって生じる、各陽極に流れる電流値の不均一に起因する陽極のトラブルを防止し得るとされている。
特許文献２には、水道管などの地下埋設物の防食装置として、外部電源方式における直流電源装置に太陽電池を用い、該太陽電池の発電電圧を充電するバッテリと、該バッテリの出力電流を一定にする定電流回路と、防食電極とを備え、該定電流回路が、抵抗及びトランジスタからなる直列回路と、該抵抗と該トランジスタのエミッタ−ベース間に定電位を供給する定電圧素子とを備えたものが記載されている。
特許文献３には、外部電源方式の防食装置における陽極電流均等化回路として、エミッタ抵抗、トランジスタ及びベース抵抗を用いた回路が記載されている。
【０００５】
特許文献１〜３に記載の定電流回路は定電流特性の良い回路ではなく、不安定な動作をすることがあり、正確な定電流コントロールを実現していない。例えば、コンクリート構造物に埋設されている鉄筋に対して外部電源方式による電気防食を行う場合、それに使用する定電流回路の定電流特性が良くないものであると、外部電源用電極からコンクリートを介して被防食体たる鉄筋に流れる防食電流が過剰となり、外部電源用電極の周囲のコンクリートやモルタルが変質するおそれがある。
【０００６】
また、特許文献１記載の電気防食用直流電源装置は、定電流回路が複数のオペアンプを用いた繊細な回路であるため、オフセット、ドリフト、歪み、ノイズが生じるおそれがあり、また、斯かる問題を解決するためには、回路のバランス、ノイズの除去などを目的とした非常に煩わしい種々の処置が新たに必要となる。
また、特許文献２記載の防食装置は、定電圧素子としてツェナーダイオードを利用しているため、ツェナーダイオードとトランジスタのエミッタ−ベース間の電圧−温度特性とが一致せず、周囲温度によって出力電流が変動するおそれがある。しかも、ツェナーダイオードのツェナー電圧が数Ｖ以上のため、抵抗の電圧降下が大きくなり、そのため、特許文献２記載の防食装置では電力消費が大きくなる。
また、特許文献３記載の陽極電流均等化回路による電流制御では、負荷の状態が変化するとそれによって負荷に流れる電流値も変化するので負荷の変化がない場合やわずかな変化しかない場合はよいが、負荷の変動が大きい場合はその都度再調整が必要となり実用的でない。
【０００７】
一方、流電陽極方式は、被防食体よりもイオン化傾向の高い卑金属を流電陽極として被防食体に接続し、流電陽極と被防食体との電位差を起電力として流電陽極から被防食体に直流電流（防食電流）を流入させる方式である。流電陽極方式は、外部電源方式に比べて、電源を必要とせず、施工及びメンテナンスが容易で、経済性に優れるというメリットを有するが、流電陽極方式では、特に流電陽極の設置当初において、防食電流の電流量が大きく分極量が過剰な状態となり、被防食体に被覆された塗膜などに悪影響を生じさせるおそれがある。また、コンクリート構造物又は地中埋設物に流電陽極方式を適用する場合には通常、流電陽極の近傍の抵抗を下げるために、コンクリート構造物の表面又は土壌と流電陽極との間に、ベントナイト、石膏及び無水芒硝などを含むバックフィルを介在させるところ、このバックフィルの水分が経時的に減少してその抵抗の抵抗値が高くなり、十分な電流が流せなくなるおそれがある。
【先行技術文献】
【特許文献】
【０００８】
【特許文献１】特開平６−１４６０３０号公報
【特許文献２】実開昭５９−１８９８６９号公報
【特許文献３】特開平２−５０９８８号公報
【発明の概要】
【発明が解決しようとする課題】
【０００９】
外部電源方式及び流電陽極方式にはそれぞれ一長一短があり、被防食体の用途などに応じて使い分けられている。いずれの方式であっても、外部電源用電極又は流電陽極に流れる電流が精度良く安定し、防食電流の電流値が安定して一定となることが望まれるが、斯かる要望に十分に応え得る技術は未だ提供されていない
【００１０】
本発明の課題は、外部電源方式及び流電陽極方式の電気防食において、外部電源用電極又は流電陽極に流れる電流を精度良く安定して定電流コントロールすることができ、被防食体に一定の防食電流を安定的に流入させて良好な防食状態を維持し得る電気防食システム及び定電流回路を提供することである。
【課題を解決するための手段】
【００１１】
本発明は、被防食体に対して外部電源方式又は流電陽極方式によって電気防食を行う電気防食システムであって、前記被防食体に電流を流す外部電源用電極又は流電陽極と、該外部電源用電極又は該流電陽極に直列に接続する定電流回路とを備え、前記定電流回路が、三端子レギュレータ又は接合型電界トランジスタと電流調整抵抗とを備えるか、又は定電流ダイオードを備え、前記外部電源用電極又は前記流電陽極に流れる電流の電流値が一定となるように該電流を制御する電気防食システムである。
【００１２】
また本発明は、被防食体に対して外部電源方式又は流電陽極方式によって電気防食を行う場合に、外部電源用電極又は流電陽極に直列に接続して使用する定電流回路であって、三端子レギュレータ又は接合型電界トランジスタと電流調整抵抗とを備えるか、又は定電流ダイオードを備え、前記外部電源用電極又は前記流電陽極に流れる電流の電流値が一定となるように該電流を制御する定電流回路である。
【発明の効果】
【００１３】
本発明の電気防食システム及び定電流回路によれば、外部電源方式及び流電陽極方式の電気防食のいずれにおいても、外部電源用電極又は流電陽極に流れる電流を精度良く安定して定電流コントロールすることができ、被防食体が置かれている腐食環境の変化の影響を受け難く、腐食環境の抵抗の抵抗値が経時的に変化した場合でも防食電流が一定であるので、被防食体の良好な防食状態が維持される。また、特に本発明の定電流回路は、構成部品の点数が比較的少ないため、定電流回路の信頼性が向上し、長寿命化が実現でき、回路スペースが従来に比して縮小しており、施工及びメンテナンスなどの点で有利である。
【図面の簡単な説明】
【００１４】
【図１】図１は、本発明の電気防食システムの一実施形態である外部電源方式の電気防食システムの一例の概略構成図である。
【図２】図２は、図１に示す電気防食システムの回路構成図である。
【図３】図３は、図１に示す電気防食システムにおいて２種類の市販の三端子レギュレータ（ＬＭ３１７及びＬＭ３５０）を使用した場合における、電圧（入出力の電位差）と出力電流の上限値との関係を示すグラフである。
【図４】図４は、図１に示す電気防食システムにおける直流電源装置の印加電圧の算出方法の説明図である。
【図５】図５は、本発明の電気防食システムの一実施形態である外部電源方式の電気防食システムの他の一例の概略構成図（図１相当図）である。
【図６】図６は、本発明の電気防食システムの一実施形態である外部電源方式の電気防食システムの回路構成の他の一例を示す回路構成図（図２相当図）である。
【図７】図７は、本発明の電気防食システムの他の一実施形態である流電陽極方式の電気防食システムの一例の概略構成図（図１相当図）である。
【図８】図８は、図７に示す電気防食システムの回路構成図である。
【図９】図９は、図７に示す電気防食システムにおいて２種類の市販の定電流ダイオード（Ｅ−３０１及びＥ−５０１）を使用した場合における、ドレイン電圧と出力電流との関係を示すグラフである。
【発明を実施するための形態】
【００１５】
以下、本発明をその好ましい実施形態に基づき図面を参照して説明する。図１には、本発明の電気防食システムの一実施形態である電気防食システム１０が示されている。電気防食システム１０は、コンクリート構造物９０中の鉄筋などの鋼材９１に対して外部電源方式によって電気防食を行う電気防食システムである。コンクリート構造物９０の如き鉄筋コンクリート構造物においては、酸素、水、塩化物イオン等の内部浸透によって鉄筋に腐食が発生し、その腐食生成物の体積膨張によりコンクリートにひび割れが発生し、これが腐食をさらに加速させ、鉄筋の断面減少等を引き起こすことにより、最終的には該構造物の強度等の諸性能が低下する。電気防食システム１０は、このような鋼材９１の腐食を防止してコンクリート構造物９０の延命を図るものであり、被防食体である鋼材９１に電流を流す外部電源用電極２０と、該外部電源用電極２０に対して直列に負電位側に接続する定電流回路３０と、該定電流回路３０に直流電流を出力する外部電源方式の直流電源装置４０とを備える。
【００１６】
電気防食システム１０においては、図１に示すように、コンクリート構造物９０中における鋼材９１の近傍に複数（図１では９個）の外部電源用電極２０が配され、また、その複数の外部電源用電極２０と同数の定電流回路３０がコンクリート構造物９０の外部に配されており、外部電源用電極２０と定電流回路３０とが１対１で接続されている。直流電源装置４０はコンクリート構造物９０の外部に１個配されており、その１個の直流電源装置４０のプラス極が複数の定電流回路３０それぞれに接続され、マイナス極が鋼材９１に接続されている。外部電源用電極２０、定電流回路３０、直流電源装置４０及び鋼材９１どうしは、リード線を介して互いに接続されている。このように、電気防食システム１０においては、直流電源装置４０の正極側と外部電源用電極２０とが定電流回路３０を介して直列に接続されていると共に、直流電源装置４０の負極側と被防食体である鋼材９１とが接続されている。
【００１７】
外部電源用電極２０としては、外部電源方式の電気防食に通常用いられる外部電源用電極を特に制限なく用いることができ、例えば、白金、パラジウム、ロジウム、イリジウム及びルテニウム等の白金族金属の少なくとも１種の酸化物により被覆されたチタン基材、又はニッケルにより被覆された炭素繊維シートが挙げられる。
【００１８】
図２には、電気防食システム１０の回路構成が示されている。複数の外部電源用電極２０は、それぞれ、定電流回路３０と直列に接続され、各定電流回路３０は、直流電源装置４０のプラス極に対し並列に接続されている。直流電源装置４０は、商用交流電源４１を全波整流するダイオードブリッジを含む整流回路４２と、該整流回路４２によって整流された直流電流を平滑化する電解コンデンサを含む平滑回路４３とを実装している。
【００１９】
電気防食システム１０の主たる特徴の１つとして、定電流回路３０が、三端子レギュレータ３３と電流調整抵抗３４，３５とを備え、外部電源用電極２０に流れる電流の電流値が一定となるように該電流を制御する点が挙げられる。より具体的には図２に示すように、複数の定電流回路３０それぞれにおいては、三端子レギュレータ３３の出力端子Ｖｏｕｔに電流調整抵抗としての固定抵抗器３４及び半固定抵抗器３５が接続されていると共に、両抵抗器３４，３５が三端子レギュレータ３３の調整用端子ＡＤＪに接続されており、これによって、定電流回路３０から外部電源用電極２０に流れる電流の電流値が常に一定となり、延いては、外部電源用電極２０から被防食体である鋼材９１に流れる防食電流の電流値が一定となり得る。即ち電気防食システム１０は、鋼材９１の置かれている腐食環境の変化の影響を受け難く、腐食環境の抵抗の抵抗値が経時的に変化した場合でも防食電流が一定であるので、鋼材９１の良好な防食状態が維持される。また、定電流回路３０は、このような優れた性能を有しながらも、構成部品の点数が比較的少なく簡素な構成であり、回路スペースが従来に比して縮小されているため、施工及びメンテナンスなどの点で有利である。
【００２０】
定電流回路３０から外部電源用電極２０に流れる電流の電流値の大きさは、半固定抵抗器３５により微調整される。三端子レギュレータ３３としては、入出力端子の他に調整用端子を有する出力可変型の三端子レギュレータが好ましく用いられ、出力可変型の三端子レギュレータの市販品として、ナショナル・セミコンダクター社製の三端子レギュレータ「ＬＭ３１７」及び「ＬＭ３５０」、三菱電機社製の三端子レギュレータ「Ｍ５Ｎ３１７Ｌ」を例示できる。
【００２１】
図３のグラフは、電気防食システム１０において三端子レギュレータ３３として、２種類の市販の三端子レギュレータ（前記ＬＭ３１７及び前記ＬＭ３５０）を使用した場合における、電圧（入出力の電位差）と出力電流の上限値との関係を示している。図３のグラフの縦軸の「出力電流」は、定電流回路３０から外部電源用電極２０に流れる電流の電流値に相当するものであるところ、図３から明らかなように、前記ＬＭ３１７及び前記ＬＭ３５０のいずれを使用した場合でも、電圧が２Ｖを超えると出力電流が流れ、電圧が３Ｖから１２Ｖまでの範囲では出力電流が一定となる。三端子レギュレータ３３として前記ＬＭ３１７を用いた場合、出力電流の電流値の上限は２．２Ａ程度である。図３に示す結果から、電気防食システム１０によれば、定電流回路３０から外部電源用電極２０に流れる電流が精度良く安定して定電流コントロールされることが明白であり、従って、被防食体である鋼材９１に一定の防食電流が安定的に流入するようになり、良好な防食状態が維持されることが明白である。
【００２２】
電気防食システム１０における直流電源装置４０の印加電圧は、三端子レギュレータ３３の各電圧に基づき、次の方法によって算出される（図４参照）。
三端子レギュレータ３３からの出力電流Ｉは、三端子レギュレータ３３の基準電圧（出力端子Ｖｏｕｔと調整用端子ＡＤＪとの間に発生する電圧）をＶｒｅｆ、電流調整抵抗３４，３５の抵抗値をＲとした場合、下記式（１）により求められる。
Ｉ＝Ｖｒｅｆ÷Ｒ  …（１）
また、直流電源装置４０の印加電圧Ｖｅｘは、電気防食システム１０の作業電圧（外部電源用電極２０と被防食体９１との間に発生する電圧）をＶｗｏｒｋ、三端子レギュレータ３３のドロップ・アウト電圧（入力端子Ｖｉｎと出力端子Ｖｏｕｔとの間に発生する電圧）をＶｄｒｏｐｏｕｔ、三端子レギュレータ３３の基準電圧をＶｒｅｆとした場合、下記式（２）により求められる。
Ｖｅｘ＝Ｖｗｏｒｋ＋Ｖｄｒｏｐｏｕｔ＋Ｖｒｅｆ  …（２）
例えば、三端子レギュレータ３３として前記ＬＭ３１７を用いた場合、三端子レギュレータ３３の基準電圧Ｖｒｅｆは１．２５Ｖであり、該三端子レギュレータ３３に抵抗値Ｒが１．２５Ωの電流調整抵抗３４，３５を接続すれば、該三端子レギュレータ３３からの出力電流は１Ａとなる。また、三端子レギュレータ３３のドロップ・アウト電圧Ｖｄｒｏｐｏｕｔは、出力電流１Ａ、２５℃のとき２Ｖとなる。そして、電気防食システム１０の作業電圧Ｖｗｏｒｋが２Ｖである場合、直流電源装置４０の印加電圧Ｖｅｘは５．２５Ｖとなる。この印加電圧Ｖｅｘが１０Ｖを越えた場合、出力電流は一定の電流値を維持するが、三端子レギュレータ３３の発熱量が多くなるので、電流調整抵抗３４，３５を変更するか、又は大きな放熱板（図示せず）を配置する必要がある。
【００２３】
以下、本発明の他の実施形態について図５〜図９を参照して説明する。後述する実施形態については、前記実施形態（電気防食システム１０及び定電流回路３０）と異なる構成部分を主として説明し、同様の構成部分は同一の符号を付して説明を省略する。特に説明しない構成部分は、前記実施形態についての説明が適宜適用される。
【００２４】
図５に示す電気防食システム１１においては、図１に示す電気防食システム１０と同様に、１個の外部電源方式の直流電源装置４０に対して定電流回路３０が複数（図５では５個）並列に接続され、且つ各定電流回路３０それぞれに外部電源用電極２０が接続されているところ、１個の定電流回路３０に対して複数（図５では２個）の外部電源用電極２０が直列に接続されている点で電気防食システム１０と相違する。このように本発明においては、外部電源用電極２０と定電流回路３０との接続は必ずしも１対１である必要はなく、図５に示す如くに１個の定電流回路３０に対して２個以上の外部電源用電極２０を接続してもよく、そのようにしても外部電源用電極２０から鋼材９１に流れる防食電流を一定にすることができる。また、電気防食システム１１においては、複数の定電流回路３０それぞれに接続されている外部電源用電極２０の数は互いに同じであるが、定電流回路３０どうしで、接続されている外部電源用電極２０の数が異なっていてもよい。
【００２５】
図６に示す電気防食システム１２においては、定電流回路３１が、接合型電界トランジスタ３６と電流調整抵抗３４，３５とを備え、三端子レギュレータは備えていない。より具体的には図６に示すように、複数の定電流回路３１それぞれにおいては、接合型電界トランジスタ３６のソースＳに電流調整抵抗としての固定抵抗器３４及び半固定抵抗器３５が接続されていると共に、両抵抗器３４，３５が接合型電界トランジスタ３６のゲートＧに接続されており、これによって、定電流回路３１から外部電源用電極２０に流れる電流の電流値が常に一定となり、延いては、外部電源用電極２０から被防食体である鋼材９１に流れる防食電流の電流値が一定となり得る。接合型電界トランジスタ３６としては、Ｎチャネル接合形電界トランジスタが好ましく用いられ、Ｎチャネル接合形電界トランジスタの市販品として、東芝セミコンダクター社製の電界効果トランジスタ「２ＳＫ３６９」、「２ＳＫ１９２」、「２ＳＫ２１４５」及び「２ＳＫ２０８」、フェアチャイルド社製のＮｃｈジャンクションＦＥＴ「Ｊ１１２」及び「Ｊ２１２」を例示できる。
【００２６】
図７に示す電気防食システム１３は、流電陽極方式によって電気防食を行うようになされている。電気防食システム１３は、図７に示すように、被防食体である鋼材９１に電流を流す流電陽極５０を複数（図７では８個）備え、各流電陽極５０と鋼材９１とが定電流回路３２を介して直列に接続されている。定電流回路３２は流電陽極５０と同数配されており、流電陽極５０と定電流回路３２とが１対１で接続されている。各流電陽極５０は、コンクリート構造物９０のコンクリート表面にバックフィル５１を介して固定されており、バックフィル５１と接触している。流電陽極５０、定電流回路３２及び鋼材９１どうしは、リード線を介して互いに接続されている。尚、電気防食システム１３においては、定電流回路３２は、コンクリート構造物９０中に設けられた接続箱５２に収納され、接続箱５２内にて前記リード線が結線されているが、前記リード線の途中の任意の位置に介挿接続されていてもよい。
【００２７】
流電陽極５０としては、流電陽極方式の電気防食に通常用いられる流電陽極を特に制限なく用いることができ、例えば、コンクリート構造物の鋼材に対して電気化学的に卑な電位を有する金属、具体的には、亜鉛合金、アルミニウム合金、マグネシウム合金が挙げられる。また、バックフィル５１は、流電陽極５０の接地抵抗の低下、電気化学的特性の向上など目的として、コンクリート構造物９０と流電陽極５０との間に介在配置される。バックフィル５１としては、流電陽極方式の電気防食に通常用いられるバックフィルを特に制限なく用いることができ、例えば、ベントナイト及び塩化マグネシウムを含んだ粉末状又は粒子状の混合物を水と混練してペースト状にしたものが挙げられる。
【００２８】
図８には、電気防食システム１３の回路構成が示されている。複数の定電流回路３２は、それぞれ、流電陽極５０に直列に負電位側に接続されていると共に、被防食体である鋼材９１に接続されている。定電流回路３２は定電流ダイオード３７を備えており、流電陽極５０に流れる電流の電流値が一定となるように制御する。定電流回路３２は、１個の定電流ダイオード３７のみで構成されているため、回路スペースが従来に比して十分に小さく、施工及びメンテナンスなどの点で有利である。定電流ダイオード３７として好適に用いられる市販品として、ＳＥＭＩＴＥＣ社製の定電流ダイオード「Ｅ−３０１」、「Ｅ−５０１」及び「Ｅ−７０１」を例示できる。
【００２９】
図９のグラフは、電気防食システム１３において定電流ダイオード３７として、２種類の市販の定電流ダイオード（前記Ｅ−３０１及び前記Ｅ−５０１）を使用した場合における、ドレイン電圧（入出力の電位差）と出力電流との関係を示している。図９のグラフの縦軸の「出力電流」は、定電流回路３２から流電陽極５０に流れる電流の電流値に相当するものであるところ、図９から明らかなように、前記Ｅ−３０１及び前記Ｅ−５０１のいずれを使用した場合でも、ドレイン電圧が１Ｖから１００Ｖまでの範囲では出力電流が一定となる。定電流ダイオード３７として前記Ｅ−３０１を用いた場合、肩特性電圧値（ピンチオフ電流（定電流）の８０％にあたる電流値を表す電圧値）０．６Ｖ近傍から出力電流が安定し、この定電流の電流値は０．３ｍＡ程度である。図９に示す結果から、電気防食システム１３によれば、定電流回路３２から流電陽極５０に流れる電流が精度良く安定して定電流コントロールされることが明白であり、従って、被防食体である鋼材９１に一定の防食電流が安定的に流入するようになり、良好な防食状態が維持されることが明白である。
【００３０】
尚、流電陽極方式の電気防食システムにおいては、ドレイン電圧即ち入出力間の電位差（図９参照）が比較的小さいため、三端子レギュレータの動作電圧即ち入出力間の電位差（図３参照）に達しない。従って、流電陽極方式の電気防食システムにおいては、定電流回路として三端子レギュレータを用いることができない。流電陽極方式の電気防食システムにおいては、定電流ダイオードの代わりとして、接合型電界トランジスタと電流調整抵抗との組み合わせを用いることが可能である。
【００３１】
以上、本発明をその実施形態に基づいて説明したが、本発明は、前記実施形態に制限されることなく適宜変更が可能である。
前記実施形態は、コンクリート構造物中の鋼材を被防食体とするものであったが、本発明に係る被防食体はこれに限定されず、腐食環境に接する種々の被防食体（金属体）に適用することができ、例えば、防波堤、岸壁、桟橋、橋脚などの港湾や河川に設置される構造物における金属体、土壌に埋設された金属パイプラインを例示できる。
また、本明細書に記載した一の実施形態のみが有する部分は、すべて適宜相互に利用できる。
【符号の説明】
【００３２】
１０，１１，１２，１３  電気防食システム
２０  外部電源用電極
３０，３１，３２  定電流回路
３３  三端子レギュレータ
３４  固定抵抗器（電流調整抵抗）
３５  半固定抵抗器（電流調整抵抗）
３６  接合型電界トランジスタ
３７  定電流ダイオード
４０  直流電源装置
４１  交流電源
４２  整流回路
４３  平滑回路
５０  流電陽極
５１  バックフィル
５２  接続箱
９０  コンクリート構造物
９１  鋼材（被防食体）
【図１】
2018123394.tif 000003
【図２】
2018123394.tif 000004
【図３】
2018123394.tif 000005
【図４】
2018123394.tif 000006
【図５】
2018123394.tif 000007
【図６】
2018123394.tif 000008
【図７】
2018123394.tif 000009
【図８】
2018123394.tif 000010
【図９】
2018123394.tif 000011